(57)【要約】  【課題】  ワイパーに付与される液体のワイパーからの垂れを低減し、記録ヘッドの吐出口面に十分な量の液体を安定的に供給でき、ワイピング性能を向上させ得る記録装置を提供する。  【解決手段】  板状のワイパーの先端を記録ヘッドの吐出口面に摺接させてワイピングするワイピング手段と、ワイパーに液体を付与する転写部を有する液体転写手段とを備える。ワイパー面には段差部が形成され、先端側が基端側よりも薄くなっている。ワイパーに液体を転写するときに、ワイパーの段差部を転写部に接触させることによりワイパーに液体を付与する。【選択図】  図８
2010221536.tif 000002
【特許請求の範囲】
【請求項１】
記録ヘッドから被記録材へインクを吐出して記録を行うインクジェット記録装置において、
ワイパーの先端を前記記録ヘッドの吐出口面に摺接させてワイピングするワイピング手段と、
前記ワイパーに液体を付与するための転写部とを備え、
前記ワイパー面には段差部が形成され、前記先端側が基端側よりも薄くなっており、
前記ワイパーの前記段差部を含む領域を前記転写部に接触させて前記段差部を含む領域に前記液体を付与することを特徴とする記録装置。
【請求項２】
前記ワイパーで前記吐出口面をワイピングするとき、前記段差部は前記吐出口面に接触しないことを特徴とする請求項１に記載の記録装置。
【請求項３】
前記段差部は前記ワイパーの一方の面に形成され、他方の面には形成されていないことを特徴とする請求項１または２に記載の記録装置。
【請求項４】
前記ワイパーはゴム状弾性体で形成されていることを特徴とする請求項１ないし３のいずれか１項に記載の記録装置。
【請求項５】
前記吐出口面には所定ピッチで複数の吐出口が配置され、記録ヘッドの共通液室のインクを各吐出口へ導く流路の長さが隣接する吐出口の間で異なることを特徴とする請求項１ないし４のいずれか１項に記載の記録装置。
【発明の詳細な説明】
【技術分野】
【０００１】
本発明は記録ヘッドから被記録材へインクを吐出して記録を行う記録装置に関する。
【背景技術】
【０００２】
インクジェット記録装置では、微細な吐出口からインクを吐出することから、正常なインク吐出性能を維持回復するために目詰まりを防止することを要請される。この目詰まりを解消する手段として、吐出口面にワイパーを摺接させて付着物を払拭（ワイピング）するワイピング手段が採用されている。このワイピング手段の一つとして、例えば特許文献１には、液体を転写されたワイパーで吐出口面を払拭するウエットワイピングが開示されている。ワイパーに転写される液体としては、例えばグリセリンやポリエチレングリコール等の揮発性の低い溶剤（ウエット液と呼ばれる）が使用される。かかる液体を付与されたワイパーで吐出口面をワイピングすることにより、吐出口内の増粘インクや固着インクを溶解しながら、クリーニング効果を向上させることができる。
【先行技術文献】
【特許文献】
【０００３】
【特許文献１】特開２００６−２０５７１４号公報
【発明の概要】
【発明が解決しようとする課題】
【０００４】
ところで、ワイパーに転写する液体は装置本体に配された貯蔵部から供給または転写される。この液体はそもそも長期間保持されるものであるため、空気中における飽和蒸気圧が低く蒸発しにくいものが好ましい。また、記録ヘッドの各部との接液性を考慮すると、記録用のインクの組成としてしばしば用いられる多価アルコール類の溶剤を用いることが好ましい。この場合、ワイパーとしては板状の部材が使用されるため、転写された液体は重力によりワイパーから液垂れしやすい。一方、吐出口を千鳥配列した最近の記録ヘッドでは、記録ヘッドの共通液室との間の流路長さが短い奥側の吐出口の目詰まりを解消するのに十分な量の液体を供給する必要がある。このため、従来のような液垂れしやすいワイパー構造では目詰まりを安定的に解消するのが困難であった。
【０００５】
本発明はこのような技術的課題に鑑みてなされたものである。本発明の目的は、ワイパーに付与される液体のワイパーからの垂れを低減し、記録ヘッドの吐出口面に十分な量の液体を安定的に供給でき、ワイピング性能を向上させ得るインクジェット記録装置を提供することである。
【課題を解決するための手段】
【０００６】
上記課題を解決する本発明は、記録ヘッドから被記録材へインクを吐出して記録を行うインクジェット記録装置であって、ワイパーの先端を前記記録ヘッドの吐出口面に摺接させてワイピングするワイピング手段と、前記ワイパーに液体を付与するための転写部とを備え、前記ワイパー面には段差部が形成され、前記先端側が基端側よりも薄くなっており、前記ワイパーの前記段差部を含む領域を前記転写部に接触させて前記段差部を含む領域に前記液体を付与することを特徴とするものである。
【発明の効果】
【０００７】
本発明によれば、ワイパーに付与される液体のワイパーからの垂れを低減し、記録ヘッドの吐出口面に十分な量の液体を安定的に供給でき、ワイピング性能を向上させ得るインクジェット記録装置が提供される。
【図面の簡単な説明】
【０００８】
【図１】一実施形態に係るインクジェット記録装置の斜視図
【図２】回復装置の斜視図
【図３】記録ヘッドの吐出口面の正面図
【図４】千鳥配列の吐出口の説明図
【図５】ワイピング手段および液体転写手段の縦断面図
【図６】ワイパーの斜視図
【図７】ワイパーに液体を転写する前のワイピング動作を示す縦断面図
【図８】ワイパーに液体を転写した後のワイピング動作を示す縦断面図
【発明を実施するための形態】
【０００９】
以下、図面を参照して本発明の実施形態を具体的に説明する。なお、各図面を通して同一符号は同一または対応部分を示すものである。図１は一実施形態に係るインクジェット方式の記録装置の斜視図である。図１において、記録ヘッド１１を搭載したキャリッジ１２は、シャーシ１３に配されたガイドシャフト１４およびガイドレール１５に沿って移動可能に支持され、キャリッジモータ（不図示）によりベルト１６を介して往復駆動される。記録ヘッド１１と対向する位置には、記録紙等のシート状の被記録材を支持するためのプラテン１７が配されている。キャリッジ１２には、記録ヘッド１１にインクを供給するためのインクタンク２２が搭載されている。記録装置は記録ヘッド１１から被記録材へインクジェット方式でインクを吐出して記録を行う装置である。記録ヘッド１１は、画像情報に基づいて、吐出口面に形成された複数の吐出口からインクを選択的に吐出するように構成されている。インクジェット方式は、発熱体を用いた方式、ピエゾ素子を用いた方式、静電素子を用いた方式、ＭＥＭＳ素子を用いた方式など、さまざまな方式を用いることができる。
【００１０】
プラテン１７の搬送上流側には、搬送ローラ１８と従動回転体（ピンチローラ）１９からなる上流側ローラ対が配されている。プラテン１７の搬送下流側には、排紙ローラ２１と拍車等の従動回転体（不図示）からなる下流側ローラ対が配されている。搬送ローラ１８と排紙ローラ２１は同期駆動される。被記録材は給紙部２３から１枚ずつ給送される。給送された被記録材の先端を停止している上流ローラ対１８、１９のニップに当接させることにより、先端揃え（レジ取り）が行われる。次いで、搬送ローラ１８を回転させることにより被記録材を記録開始位置へ搬送する。そして、キャリッジ１２の移動（主走査）に同期して記録ヘッド１１により記録する１ライン分の記録と、搬送ローラ１８による所定ピッチの紙送りとを交互に繰り返すことにより、１枚分の画像記録が行われる。記録された被記録材は、搬送ローラ１８および排紙ローラ２１の回転により装置本体外へ排出される。
【００１１】
記録装置には、ＣＰＵ、メモリおよびＩ／Ｏ回路等を備えたコントローラからなる制御手段７０が設けられている。この制御手段７０は、内部メモリに予め格納された制御プログラムに従い、駆動モータや各種装置の動作を制御する。これにより、被記録材の給送および搬送の動作を制御するとともに、画像情報に基づいて記録ヘッド１１を制御することにより、被記録材に画像を記録していく。また、制御手段７０は、キャッピング手段４１、吸引手段４２およびワイピング手段４３などを含む回復ユニット４０の動作などを制御する他、装置全体の動作やそのタイミングを制御するものである。
【００１２】
図３は記録ヘッドの吐出口面の正面図である。図４は千鳥配列の吐出口の説明図である。図示の記録ヘッド１１は１０色のインクによって画像を形成する。１０色として、例えば、シアン、ライトシアン、マゼンタ、ライトマゼンタ、イエロー、第１ブラック、第２ブラック、レッド、グリーンおよびグレーの各色インクが使用される。従ってインクタンク２２もこれら１０色分のものが独立に用意されている。インクを吐出する吐出口２９は記録ヘッド１１の吐出口面２８に形成されており、吐出口面２８とプラテン１７に支持された被記録材との間にはインクを飛翔させるための隙間が設けられている。
【００１３】
吐出口面２８には、５色のインクを吐出する５つの吐出口列（吐出口２９の列）が形成された第１の吐出口面２８Ａと、他の５色のインクを吐出する吐出口列が形成された第２の吐出口面２８Ｂが、キャリッジ１２の移動方向（矢印Ｕ、Ｖ方向）に配列されている。各吐出口列を構成する複数の吐出口２９は、所定のピッチ（例えば１／１２００インチのピッチ）で配列されている。各吐出口は共通液室３１に連通している。本実施形態では、吐出口面２８に所定ピッチで配列された複数の吐出口２９は、記録ヘッドの共通液室３１のインクを各吐出口へ導く流路の長さが隣接する吐出口の間で異なるように構成されている。すなわち、図４に示すように、吐出口列は、隣接する吐出口の共通液室３１からの流路長さが異なる千鳥配置をなしている。このような千鳥配置では、流路が長い吐出口（奥側の吐出口）２９ｂでは、流路が短い吐出口２９ａに比べ、内部のインクが蒸発により増粘しやすく目詰まりを起こして吐出性能が劣化しやすい傾向がある。
【００１４】
図２は一実施形態に係る回復ユニットの斜視図である。図１および図２において、装置本体の記録領域を外れた所定位置には、記録ヘッド１１のインク吐出性能の維持回復を図る回復操作を行うための回復ユニット４０が設けられている。回復ユニット４０は、通常、記録ヘッド１１のホームポジションに配されている。また、ここでは、キャリッジ１２の移動方向における回復ユニット４０が配された位置をクリーニング位置と称する。
【００１５】
回復ユニット４０は、キャッピング手段４１、吸引手段４２およびワイピング手段４３を備えている。キャッピング手段４１は、記録ヘッド１１の吐出口面２８に密着して吐出口２９を覆うことでインクの蒸発抑制および記録ヘッド１１の保護を図るためのキャップ４４を有する。吸引手段４２は、キャップ４４に接続された負圧発生手段としての吸引ポンプ４５を有し、記録ヘッド１１の吐出口２９から増粘インクを吸引したり、キャップ４４内の不要インクを吸引するために使用される。キャップ４４の内部には、吸引後に吐出口面２８に残るインク等の付着物を吸い取るための吸収体５２が装填されている。また、キャップ４４を開放した状態で吸収体５２内のインクを吸引することにより、残インクによる弊害が起こらないように配慮されている。ワイピング手段４３は、ワイパー４６を記録ヘッド１１の吐出口面２８に摺接させることにより付着物をワイピングする。回復ユニット４０には、キャッピング手段４１、吸引手段４２およびワイピング手段４３などの動作機構を駆動するための回復モータ４７が設けられている。
【００１６】
図５は回復ユニットのワイピング手段および液体転写手段を記録ヘッドとともに示す縦断面図である。本実施形態に係る回復ユニット４０は、キャッピング手段４１、吸引手段４２、ワイピング手段４３に加えて、液体転写手段６０を備えている。また、ワイピング手段４３には、ワイパークリーナ５１が設けられている。図５において、ワイパー４６は板状のゴム状弾性体で形成されており、その基端はワイパホルダ４８に固定されており、吐出口面２８に摺接する先端部側は自由端になっている。ワイパーホルダ４８は図５中の矢印Ａ方向（ワイピング方向）および矢印Ｂ方向（戻り方向）に往復移動可能である。記録ヘッド１１が回復ユニット４０上のクリーニング位置に到達したときに、矢印Ａ方向にワイパーホルダ４８が移動することで吐出口面２８をワイピングする。ワイピングが終了すると、キャリッジ１２を移動させて記録ヘッド１１をワイパー４６と干渉しない位置へ退避させる。
【００１７】
本実施形態に係るワイピング手段４３のワイパー４６は、吐出口面２８の全域をワイピングするワイパー４６Ｔと、吐出口面２８Ａをワイピングするワイパー４６Ａと、吐出口面２８Ｂをワイピングするワイパー２８Ｂの３個のワイパーで構成されている。吐出口面２８のワイピング方向下流側にはワイパークリーナ５１が配されている。ワイピングに続いてワイパー４６をワイパークリーナ５１に摺接させることにより、ワイパー４６に転写されたインク等の付着物を除去（クリーニング）する。
【００１８】
液体転写手段６０は、ワイパー４６に液体（ウエット液）を転写するものであり、ワイパークリーナ５１のさらにワイピング方向下流側に配されている。この液体転写手段は、ワイパー４６に転写する液体を貯蔵する構成になっている。図６はワイパーの斜視図である。図５および図６において、板状の弾性体からなるワイパー４６はワイパーホルダ４８に固定されている。
【００１９】
本実施形態では、ワイパー４６は、吐出口面２８の全域をワイピングするワイパー４６Ｔと、吐出口列が配列された各吐出口面２８Ａ、２８Ｂのそれぞれを個別にワイピングする２個のワイパー４６Ａ、４６Ｂと、で構成されている。各吐出口面２８Ａ、２８Ｂをワイピングするワイパー４６Ａ、４６Ｂは同様の形状をしており、いずれも吐出口２９およびその近傍をワイピングする。本実施形態では、これらのワイパー４６Ａ、４６Ｂの吐出口面と摺接する面に対し、液体転写手段６０の液体転写部６１から液体が付与（転写）される。そして、各ワイパー４６Ａ、４６Ｂの液体が付与される面には凸状の段差部５３が設けられている。段差部はワイパーの一方の面に形成され、他方の面には形成されていない。従って、各ワイパー４６Ａ、４６Ｂの側面形状は、先端側が薄く、基端側が先端側よりも厚くなっている。これらのワイパー４６Ｔ、４６Ａ、４６Ｂは、ゴム状弾性体、例えばウレタン、ブチル、シリコンなどの板状部材で形成されている。
【００２０】
液体転写手段６０は、吐出口２９の近傍をワイピングする２枚のワイパー４６Ａ、４６Ｂに対し、同様の構成および動作によって液体を付与する。そこで、以下にワイパー４６Ａを例に挙げて、ワイピング、ワイパークリーニング、液体転写に関する構成および動作を説明する。そして、特に断らない限り、これらの説明はもう一方のワイパー４６Ｂにも準用する。さらに、以下に説明するワイパー４６Ａによるワイピング、ワイパークリーニング、液体転写に関する構成および動作は、吐出口面２８の全域をワイピングするワイパー４６Ｔにおいても同様に実施することができ、これらの説明はワイパー４６Ａにも準用する。
【００２１】
図７はワイパーに液体を転写する前のワイピング動作を示す縦断面図である。図８はワイパーに液体を転写した後のワイピング動作を示す縦断面図である。液体転写手段６０は、ワイパー４６Ａのワイピング方向（矢印Ａ方向）下流側の折り返し位置に配設されている。この液体転写手段６０は、液体転写部材６２からなる液体転写部６１と、液体保持部材６４からなる液体保持部６３を備えている。液体転写部材６２は、液体保持部材６４の外面に接触するように配されており、液体保持部材６４に含浸されている液体（ウエット液）６５が液体転写部材６２へ染み出るように構成される。
【００２２】
液体保持部材６４は、例えばポリプロピレン繊維をスポンジ状に圧縮成形した吸収体で形成され、液体が含浸されている。液体保持部材６４として用いるポリエチレンの繊維径、繊維をスポンジ化したときのみかけ密度、スポンジ内の繊維の配向方向、スポンジを装置内に組むときの圧縮率などは適宜選択することができる。液体転写部材６２は、液体保持部材６４から液体６５を吸引（吸収）するとともに、吸引した液体により外表面まで湿潤した状態となる。そして、湿潤した状態の液体転写部材６２の外表面からなる液体転写部６１にワイパー４６Ａが当接することにより、ワイパー４６Ａの表面に液体６５が転写（付与）される。
【００２３】
液体６５としては、例えばグリセリンを用いることができる。グリセリンは、そのものは蒸発しにくいが、空気中の水分を吸湿しやすく、また一旦吸湿した場合でも低湿度環境下では水分を放出する特性を有する。従って、吸湿、乾燥の影響を受けないように、液体保持部６３および液体転写部６１の外周面は、不図示の水蒸気透過性の低い材料で遮蔽することが好ましい。ただし、液体保持部６３に存在するエアの膨張収縮に耐えられるように、完全密閉するのではなく、一部に大気連通用の細孔を設けることが望ましい。また、液体保持部６３と液体転写部６１の接触部分およびワイパー４６Ａへの転写部６１の領域では遮蔽は行わない。
【００２４】
ワイパー４６Ａの吐出口面２８Ａに摺接する側の表面には凸状の段差部５３が設けられている。この段差部５３は、吐出口面２８に摺接する領域よりも基端寄り（ワイパーホルダ４８寄り）の位置に設けられている。ワイパー４６Ａは待機位置（ワイピング方向上流側端部の停止位置）から移動を開始し、図７の（１）→（２）→（３）に示すように吐出口面２８Ａに摺接することにより吐出口面２８Ａに付着したインクや紙紛などの異物５４をワイピングして除去する。
【００２５】
ワイパー４６Ａの段差部５３は、吐出口面２８Ａをワイピングするとき、その角部５５が吐出口面２８Ａに接触しないような位置に設けることが好ましい。その理由は、段差部５３の端面５６および先端側の表面５７に堆積したインク、紙紛、ほこりなどの異物５４をワイパークリーナ５１で掻き落とすことがが困難であり、その堆積を避けるためである。また、異物５４が段差部５３に溜まった状態で液体転写部６１に接触した場合、液体転写部６１に異物５４が逆に転写され、使用を重ねるうちに液体転写手段６０の液体６５が汚染される可能性があるためである。
【００２６】
ワイパー４６Ａは、吐出口面２８Ａをワイピングした後、図７の（４）で示すようにワイパークリーナ５１に摺接することにより先端部に付着した異物５４をクリーニング（除去）される。そして、ワイパークリーナ５１を通過した後さらに移動し、（５）→（６）で示すように液体転写手段６０に到達し、その液体転写部６１に接触する。ワイパー４６Ａは、ワイピング方向から戻り方向への折り返し位置（６）において転写部６１に接触する。液体保持部材６４および液体転写部材６２の内部には多数の細孔があり、液体６５はこの細孔内でメニスカスを形成している。かかる状態の液体転写部材６２の一部である液体転写部６１にワイパー４６Ａが接触することで、接触部分のメニスカスが破れ、ウエット液体６５がワイパー４６Ａに転写され、ワイパー４６Ａの摺接側の表面を濡らすことになる。
【００２７】
図７に示すように、液体転写の過程では、ワイパー４６Ａの段差部の角部を含む領域が液体転写部６１に接触することが好ましい。その理由は、段差部５３の端面５６に液体を付与することで、ワイパー４６Ａの表面により多くのウエット液６５を保持できるからである。なお、段差部５３を液体転写部６１と接触する位置よりも基端側に設ける場合は、液体転写部６１に接触する部位が段差部５３よりも先端側の薄い部分の表面５７となる。このため、液体（ウエット液）６５が重力により段差部５３の端面５６まで垂れ下がり、吐出口面２８Ａに接触する位置に十分な量の液体を保持することが難しくなるためである。
【００２８】
液体転写手段６０でワイパー４６Ａに液体を転写した後、ワイパー４６Ａを矢印Ｂで示す戻り方向に移動させ、図７の位置（１）に停止させる。位置（１）は図８のスタート位置（７）と同じである。ワイパー４６Ａの戻り移動の際には、不要な摺擦を避けるため、ワイパークリーナ５１は不図示の機構によってワイパー４６Ａと接触しない退避位置へ移動させる。これとともに、キャリッジ１２もクリーニング位置（図示の例ではホームポジション）から吐出口面２８がワイパー４６Ａと接触しない退避位置へ移動させておく。
【００２９】
次に、図８を用いて、液体転写部６１でワイパー４６Ａに液体６５を付与した後の動作を説明する。図７の位置（６）で液体６５を転写されたワイパー４６Ａは、前述のように（６）→（１）へ戻されることで、図８の（７）の状態になる。そして、キャリッジ１２をクリーニング位置へ移動させるとともにワイパークリーナ５１を摺接位置に戻した後、ワイパー４６Ａのワイピング方向（往方向）への（７）→（１２）の移動を開始する。このとき、（７）→（８）→（９）の移動の間にワイパー４６Ａで吐出口面２８Ａをワイピングすることにより、ワイパー４６Ａ上の液体６５が吐出口面２８Ａに付与される。ワイパー４６Ａの段差部５３は、吐出口面２８Ａをワイピングするときに吐出口面２８Ａと直に接触しない位置に設けられている。付与された液体６５は吐出口２９の内部および周辺に供給される。かかるウエットワイピングによれば、段差部５３を利用してワイパー４６Ａの表面に十分な量の液体６５を保持することができる。従って、吐出口面２８Ａをウエットワイピングすることにより、ワイピング方向の上流側からう下流側までの全ての吐出口２９に対して液体６５を十分に安定的に供給することができる。
【００３０】
吐出口面２８Ａに液体を付与（転写）した後の（９）→（１０）→（１１）→（１２）の動作は、図７の（３）→（４）→（５）→（６）と同じである。すなわち、吐出口面２８Ａをウエットワイピングした後のワイパー４６Ａは、ワイパークリーナ５１に摺接しながら通過した後、再び、液体転写手段６０に到達して転写部６１に到達する。そして、転写部６１で液体６５を付与（転写）された後、移動方向を反転し、図７の待機位置（１）と同じ図８の位置（７）まで移動して待機状態に入る。さらに吐出口面２８Ａに液体６５を付与する場合は、図８の（７）→（１２）の往移動および（１２）→（７）の復移動を必要回数だけ繰り返して実行すれば良い。なお、吐出口面２８Ａのウエットワイピングを繰り返したくない場合は、ワイパー４６Ａが液体転写部６１に接触する前の位置、例えば位置（１１）位置で移動を反転させ、そこから待機位置（１）へ戻しても良い。以上により、一連のウエットワイピングの動作を終了する。以上のウエットワイピングでは、吐出口面２８Ａをワイピングするワイパー４６Ａについて説明したが、吐出口面２８Ｂをワイピングするワイパー４６Ｂを用いるウエットワイピングにおいても同様に実施することができ、これらの説明はワイパー４６Ｂにも準用する。さらに、以上説明したワイパー４６Ａを用いるウエットワイピングの構成および動作は、吐出口面２８の全域をワイピングするワイパー４６Ｔに対しても同様に適用することができる。従って、以上説明した液体転写手段６０を用いるウエットワイピング動作は、必要に応じて、ワイパー４６Ｔによる吐出口面２８のワイピングにおいても同様に実施される。
【００３１】
なお、液体転写手段６０でワイパー４６に転写される液体６５としては、グリセリンよりも蒸発しやすいが、例えば染料インクの粘度を低減する効果の高い純水を主成分とするようなウエット液を使用することもできる。また、液体保持部材６４および液体転写部材６２の材質も、液体６５の種類を考慮して適宜選択することができる。また、ウエットワイピングを実施するタイミングについても適宜設定することができる。例えば本実施形態のように千鳥配列の吐出口２９ａ、２９ｂからなる吐出口列を有する記録ヘッド１１の場合には、長時間の不吐出による目詰まりは奥側の吐出口２９ａで生じやすい。このような場合は、奥の吐出口２９ａに目詰まりが生じるタイミングに合わせてウエットワイピングを行うことが好ましい。また、高デューティ記録によって吐出口面に大量に付着したミストの一部が吐出口内へ入り込むことで増粘して目詰まりした場合も、奥の吐出口に目詰まりが起こるタイミングで行うことが好ましい。
【００３２】
以上説明した実施形態によれば、記録ヘッドの吐出口面をワイピングするワイパーに設けた段差に液体を付与するので、付与された液体のメニスカスを張ることにより液体の保持力を向上させることができる。これにより、ワイパーに付与される液体のワイパーからの垂れを低減し、記録ヘッドの吐出口面に十分な量の液体を安定的に供給でき、ワイピング性能を向上させることができる。
【００３３】
なお、以上説明した実施形態では、記録ヘッドを搭載して往復移動するキャリッジを用いるシリアルタイプの記録装置を例に挙げた。本発明は、被記録材の搬送方向の副走査のみで記録するラインタイプなど、他の記録方式の記録装置にも同様に適用可能である。また、被記録材の材質は、紙、プラスチックシート、印画紙、布など、画像形成が可能であれば、種々の材質のものを使用できる。
【符号の説明】
【００３４】
１１      記録ヘッド
２８（２８Ａ、２８Ｂ）      吐出口面
２９      吐出口
４０      回復ユニット
４６（４６Ｔ、４６Ａ、４６Ｂ）      ワイパー
５１    ワイパークリーナ
５３      段差部
５５      角部
６０      液体転写手段
６１      液体転写部
６２      液体転写部材
６３      液体保持部
６４Ａ    液体保持部材
６５      液体（ウエット液）
７０      制御手段
【図１】
2010221536.tif 000003
【図２】
2010221536.tif 000004
【図３】
2010221536.tif 000005
【図４】
2010221536.tif 000006
【図５】
2010221536.tif 000007
【図６】
2010221536.tif 000008
【図７】
2010221536.tif 000009
【図８】
2010221536.tif 000010